(57)【要約】  本発明は、下り回線パイロットタイムスロットにおける物理ハイブリッドARQインジケータチャンネル信号送信方法であって、基地局が、下り回線パイロットタイムスロットにおいて１個又は複数の符号で物理ハイブリッドARQインジケータチャンネル信号を送信し、基地局によって下り回線パイロットタイムスロットにおいて物理ハイブリッドARQインジケータチャンネル信号を送信するために用いられるＯＦＤＭ符号と、基地局によって第１同期化チャンネル信号と第２同期化チャンネル信号を送信するために用いられるＯＦＤＭ符号とは異なる。本発明の方法は、下り回線パイロットタイムスロットで物理ハイブリッドARQインジケータチャンネル信号が同期化チャンネル信号と衝突する問題を解決するとともに、できるだけ物理ハイブリッドARQインジケータチャンネル信号送信の遅延を縮小させることで、その他のチャンネルに対する影響を小さくし、その他のチャンネルの処理を容易にする。
2011509034.tif 000002
【特許請求の範囲】
【請求項１】
下り回線パイロットタイムスロットにおける物理ハイブリッドARQインジケータチャンネルの信号送信方法において、
基地局が、前記下り回線パイロットタイムスロットの１個又は複数の符号で前記物理ハイブリッドARQインジケータチャンネル信号を送信し、
前記物理ハイブリッドARQインジケータチャンネル信号を伝送する符号と第１同期チャンネル信号及び第２同期チャンネル信号を送信する符号とが異なることを特徴とする信号送信方法。
【請求項２】
前記方法は、ＴＤＤモードによるＬＴＥシステムに適用され、前記システムにおけるフレーム構造には、１個の１０ｍｓの無線フレームが半分ずつの２個のフレームに分けられ、各半分フレームが１０個の長さ０．５ｍｓのスロットに分けれ、２個のスロットから長さ１ｍｓのサブフレームを１個構成し、
一個の無線フレームには、通し番号が０から９までの１０個のサブフレームが含まれ、
一個の無線フレームには、通し番号が０から１９までの２０個のスロットが含まれ、前記下り回線パイロットタイムスロットがサブフレーム１とサブフレーム６に位置することを特徴とする請求項１に記載の信号送信方法。
【請求項３】
前記スロットに含まれる符号は、直交周波数分割多重方式の符号であることを特徴とする請求項２に記載の信号送信方法。
【請求項４】
シグナリングにより、前記下り回線パイロットタイムスロットで物理ハイブリッドARQインジケータチャンネル信号を伝送するために１個、２個、又は３個の符号を用いることが指示されることを特徴とする請求項２に記載の信号送信方法。
【請求項５】
前記下り回線パイロットタイムスロットにおいて１番目の符号で前記第１同期化チャンネル信号を送信し、
物理ハイブリッドARQインジケータチャンネル信号を伝送するために１個の符号を用いる場合には、前記下り回線パイロットタイムスロットにおいて２番目の符号で前記物理ハイブリッドARQインジケータチャンネル信号を送信し、
物理ハイブリッドARQインジケータチャンネル信号を伝送するために２個の符号を用いる場合には、前記下り回線パイロットタイムスロットにおいて２番目と３番目の符号で前記物理ハイブリッドARQインジケータチャンネル信号を送信することを特徴とする請求項１、２、３又は４に記載の信号送信方法。
【請求項６】
前記下り回線パイロットタイムスロットにおいて１番目の符号で前記第１同期化チャンネル信号を送信し、
前記物理ハイブリッドARQインジケータチャンネル信号を伝送するために１個の符号を用いる場合には、前記下り回線パイロットタイムスロットにおいて２番目の符号で前記物理ハイブリッドARQインジケータチャンネル信号を送信し、
前記物理ハイブリッドARQインジケータチャンネル信号を伝送するために３個の符号を用いる場合には、前記下り回線パイロットタイムスロットにおいて２番目、３番目と４番目の符号で前記物理ハイブリッドARQインジケータチャンネル信号を送信することを特徴とする請求項１、２、３又は４に記載の信号送信方法。      
【請求項７】
前記下り回線パイロットタイムスロットにおいて３番目の符号で前記第１同期化チャンネル信号を送信し、
前記物理ハイブリッドARQインジケータチャンネル信号を伝送するために１個の符号を用いる場合には、前記下り回線パイロットタイムスロットにおいて１番目の符号で前記物理ハイブリッドARQインジケータチャンネル信号を送信し、
前記物理ハイブリッドARQインジケータチャンネル信号を伝送するために２個の符号を用いる場合には、前記下り回線パイロットタイムスロットにおいて１番目と２番目の符号で前記物理ハイブリッドARQインジケータチャンネル信号を送信することを特徴とする請求項１、２、３又は４に記載の信号送信方法。
【請求項８】
スロット１とスロット１１において最後の符号で前記第１同期化チャンネル信号を送信し、スロット１とスロット１１において最後から２個目の符号で第２同期化チャンネル信号を送信し、
前記下り回線パイロットタイムスロットにおいて物理ハイブリッドARQインジケータチャンネル信号を伝送するために１個の符号を用いる場合には、前記下り回線パイロットタイムスロットにおいて１番目の符号で前記物理ハイブリッドARQインジケータチャンネル信号を送信し、
前記下り回線パイロットタイムスロットにおいて物理ハイブリッドARQインジケータチャンネル信号を伝送するために２個の符号を用いる場合には、前記下り回線パイロットタイムスロットにおいて１番目と２番目の符号で前記物理ハイブリッドARQインジケータチャンネル信号を送信することを特徴とする請求項２、３又は４に記載の信号送信方法。
【請求項９】
スロット１とスロット１１において最後の符号で前記第１同期化チャンネル信号を送信し、スロット１とスロット１１において最後から２個目の符号で前記第２同期化チャンネル信号を送信し、
前記下り回線パイロットタイムスロットにおいて物理ハイブリッドARQインジケータチャンネル信号を伝送するために１個の符号を用いる場合には、前記下り回線パイロットタイムスロットにおいて１番目の符号で前記物理ハイブリッドARQインジケータチャンネル信号を送信し、
前記下り回線パイロットタイムスロットで物理ハイブリッドARQインジケータチャンネル信号を伝送するために３個の符号を用いる場合には、前記下り回線パイロットタイムスロットにおいて１番目、２番目と３番目の符号で前記物理ハイブリッドARQインジケータチャンネル信号を送信することを特徴とする請求項２、３又は４に記載の信号送信方法。
【請求項１０】
前記下り回線パイロットタイムスロットにおいて物理ハイブリッドARQインジケータチャンネル信号を伝送するために1個の符号を用いる場合には、前記下り回線パイロットタイムスロットにおいて１番目の符号で前記物理ハイブリッドARQインジケータチャンネル信号を送信し、前記下り回線パイロットタイムスロットにおいて３番目の符号で前記第１同期化チャンネル信号を送信し、スロット１とスロット１１において最後の符号で前記第２同期化チャンネル信号を送信し、
前記下り回線パイロットタイムスロットにおいて物理ハイブリッドARQインジケータチャンネル信号を伝送するために３個の符号が用いられる場合には、前記下り回線パイロットタイムスロットにおいて１番目、２番目と３番目の符号で前記物理ハイブリッドARQインジケータチャンネル信号を送信し、スロット１とスロット１１において最後の符号で前記第１同期化チャンネル信号を送信し、スロット１とスロット１１において最後から２個目の符号で前記第２同期化チャンネル信号を送信することを特徴とする請求項２、３又は４に記載の信号送信方法。
【発明の詳細な説明】
【技術分野】
【０００１】
本発明は、通信システムにおける物理チャンネルの信号送信方法に関し、特に、物理チャンネルの下り回線パイロットタイムスロットにおける物理ハイブリッドARQインジケータチャンネルの信号送信方法に関する。
【背景技術】
【０００２】
ＬＴＥ（Long Term Evolution）システムにおけるＴＤＤ（Time Division Dual）モードのフレーム構造を、図１に示す。このフレーム構造では、１０ｍｓの無線フレームが半分ずつの２個のフレームに分けられ、各半分フレームが長さ０．５ｍｓの１０個のスロットに分けられ、２個のスロットが長さ１ｍｓのサブフレームを１個分を構成し、１個の無線フレームに１０個のサブフレーム（通し番号が０から９まで）が含まれ、１個の無線フレームに２０個のスロット（通し番号が０から１９まで）が含まれる。長さが５．２１μs及び４．６９μsである通常のサイクリック・プレフィックス(ＣＰ、Cyclic  Prefix)に対して、１個のスロットに長さが６６．７μsである上り回線/下り回線の符号（７×６６．７μs）が７個含まれ、その中の１個目の符号のサイクリック・プレフィックスの長さが５．２１μsであり、その他の6個の符号のサイクリック・プレフィックスの長さが４．６９μsである。長さが１６．６７μsである拡張のサイクリック・プレフィックスに対して、１個のスロットに上り回線/下り回線の符号が６個含まれる。また、このような構造には、サブフレームの配置の特徴は以下の通りである。
【０００３】
(１)サブフレーム０とサブフレーム５が固定的に下り回線の伝送に用いられる。
【０００４】
(２)５ｍｓ及び１０ｍｓを周期とする上り回線／下り回線の切り替えを制御する。
【０００５】
(３)サブフレーム１及びサブフレーム６が下り回線パイロットタイムスロット（ＤｗＰＴＳ、Downlink  Pilot  Time  Slot）、ガードピリオド（ＧＰ、Guard Period）及び上り回線パイロットタイムスロット（ＵｐＰＴＳ、Uplink Pilot Time Ｓlot）の３個の特殊なスロットを伝送することに適用される特殊なサブフレームであり、その中には、
ＤｗＰＴＳが下り回線の伝送に用いられる。
【０００６】
ＧＰは、いかなるデータも伝送しない保護時間である。
【０００７】
ＵｐＰＴＳが上り回線の伝送に用いられ、上りＳＣ−ＦＤＭＡ符号を少なくとも２個含んで物理ランダムアクセスチャネルＰＲＡＣＨ（Physical Random Access Channel）を伝送することに用いられる。
【０００８】
(４)５ｍｓを周期とする上り回線／下り回線の切り替えを行う場合、サブフレーム２とサブフレーム７が固定的に上り回線の伝送に用いられる。
【０００９】
(５)１０ｍｓを周期とする上り回線／下り回線の切り替えを行う場合、ＤｗＰＴＳが２個の半分のフレームに存在し、ＧＰとＵｐＰＴＳが１個目の半分のフレームに存在し、２個目の半分フレームにおいてＤｗＰＴＳのスロットの長さ１ｍｓであり、サブフレーム２が上り回線の伝送に用いられ、サブフレーム７からサブフレーム９までは下り回線の伝送に用いられる。
【００１０】
(６)第１同期化チャネル(（P-SCH、Primary-Synchronization Channel）信号がＤｗＰＴＳにおける１個目の直交周波数分割多重方式（ＯＦＤＭ、Orthogonal Frequency-Division Multiplexing）の符号で送信される。第２同期化チャネル（S-SCH、Secondary Synchronization Channel)信号がスロット１とスロット１１において最後のＯＦＤＭ符号で送信される。周波数領域での帯域幅が１．０８MHzである。
【００１１】
(７)現在、ＤｗＰＴＳにおいて少なくとも３個のＯＦＤＭ符号が規定される。
【００１２】
物理ハイブリッドARQインジケータチャンネル（PHICH、Physical  Hybrid  ARQ  Indicator  Channel）信号は全ての下り回線伝送のための一般的なサブフレームのうちの先頭ｎ個のＯＦＤＭ符号で送信される。ｎは、ユニキャストチャンネルでは１または３で、マルチキャストチャンネルでは１または２である。
【００１３】
一般的なサブフレームで送信する方法を使用して、ＤｗＰＴＳにおいて物理ハイブリッドARQインジケータチャンネル信号がまだ送信されていて、ＤｗＰＴＳにおいて１番目のＯＦＤＭ符号で第１同期化チャネル信号を送信し続けると、物理ハイブリッドARQインジケータチャンネル信号がマッピングされた物理時間周波数の位置と、第１同期信号がマッピングされた物理時間周波数の位置との間で衝突が発生する。このように、ＤｗＰＴＳにおける第１同期化チャネル信号と物理ハイブリッドARQインジケータチャンネル信号との衝突の問題を解決するための技術が要求される。
【発明の概要】
【発明が解決しようとする課題】
【００１４】
本発明の解決しょうとする技術的な課題は、物理ハイブリッドARQインジケータチャンネル信号と同期化チャネル信号が下り回線パイロットタイムスロットで衝突を発生することを回避する下り回線パイロットタイムスロットにおける物理ハイブリッドARQインジケータチャンネルの信号送信方法を提供することにある。
【課題を解決するための手段】
【００１５】
上述した技術課題を解決するために、本発明は、基地局が前記下り回線パイロットタイムスロットの１個又は複数の符号で前記物理ハイブリッドARQインジケータチャンネル信号を送信して、かつ、前記物理ハイブリッドARQインジケータチャンネル信号を伝送する符号位置が第１同期化チャネル信号及び第２同期化チャネル信号を送信する符号位置と異なる下り回線パイロットタイムスロットにおける物理ハイブリッドARQインジケータチャンネル信号送信方法を提供することにある。
【００１６】
さらに、上記の信号送信方法において、ＴＤＤモードのＬＴＥシステムに適用されて、前記システムのフレーム構造には、１０ｍｓの無線フレームが半分ずつの２個のフレームに分けられ、各半分フレームが長さ０．５ｍｓの１０個のスロットに分けられる。２個スロットが長さ１ｍｓであるサブフレームを１個構成する。１個の無線フレームに１０個の通し番号が０から９までのサブフレームが含まれ、一個の無線フレームに２０個の通し番号が０から１９までのスロットが含まれ、前記下り回線パイロットタイムスロットがサブフレーム１とサブフレーム６に存在する。
【００１７】
さらに、前記スロットに含まれる符号が直交周波数分割多重方式の符号である。
【００１８】
さらに、シグナリングにより、下り回線パイロットタイムスロットで物理ハイブリッドARQインジケータチャンネル信号を伝送するために１、２又は３個の符号を用いることが指示される。
【００１９】
さらに、前記方法は、前記下り回線パイロットタイムスロットにおいて１番目の符号で前記第１同期化チャネル信号を送信し、
前記物理ハイブリッドARQインジケータチャンネル信号を伝送するために１個の符号が用いられる場合には、前記下り回線パイロットタイムスロットにおいて２番目の符号で前記物理ハイブリッドARQインジケータチャンネル信号を送信し、
前記物理ハイブリッドARQインジケータチャンネル信号を伝送するために２個の符号が用いられると、前記下り回線パイロットタイムスロットにおいて２番目と３番目の符号で前記物理ハイブリッドARQインジケータチャンネル信号を送信する。
【００２０】
さらに、前記下り回線パイロットタイムスロットにおいて１番目の符号で前記第１同期化チャネル信号を送信し、
前記物理ハイブリッドARQインジケータチャンネル信号を伝送するために１個の符号を用いる場合には、前記下り回線パイロットタイムスロットにおいて２番目の符号で前記物理ハイブリッドARQインジケータチャンネル信号を送信し、
前記物理ハイブリッドARQインジケータチャンネル信号を伝送するために３個の符号を用いる場合には、前記下り回線パイロットタイムスロットにおいて２番目、３番目と４番目の符号で前記物理ハイブリッドARQインジケータチャンネル信号を送信する。
【００２１】
さらに、前記下り回線パイロットタイムスロットにおいて３番目の符号で前記第１同期化チャネル信号を送信し、
前記物理ハイブリッドARQインジケータチャンネル信号を伝送するために１個の符号を用いる場合には、前記下り回線パイロットタイムスロットにおいて１番目の符号で前記物理ハイブリッドARQインジケータチャンネル信号を送信し、
前記物理ハイブリッドARQインジケータチャンネル信号を伝送するために２個の符号を用いる場合には、前記下り回線パイロットタイムスロットにおいて１番目と２番目の符号で前記物理ハイブリッドARQインジケータチャンネル信号を送信する。
【００２２】
さらに、スロット１とスロット１１における最後の符号で第１同期化チャンネル信号を送信し、スロット１とスロット１１における最後から２個目の符号で前記第２同期化チャンネル信号を送信し、
前記物理ハイブリッドARQインジケータチャンネル信号を伝送するために１個の符号を用いる場合には、前記下り回線パイロットタイムスロットにおいて１番目の符号で前記物理ハイブリッドARQインジケータチャンネル信号を送信し、
前記物理ハイブリッドARQインジケータチャンネル信号を伝送するために２個の符号を用いる場合には、前記下り回線パイロットタイムスロットにおいて１番目と２番目の符号で前記物理ハイブリッドARQインジケータチャンネル信号を送信する。
【００２３】
さらに、スロット１とスロット１１において最後の符号で第１同期化チャンネル信号を送信し、スロット１とスロット１１において最後から２個目の符号で第２同期化チャンネル信号を送信し、
前記物理ハイブリッドARQインジケータチャンネル信号を伝送するために１個の符号を用いる場合には、前記下り回線パイロットタイムスロットにおいて１番目の符号で前記物理ハイブリッドARQインジケータチャンネル信号を送信することと、
前記物理ハイブリッドARQインジケータチャンネル信号を伝送するために３個の符号を用いる場合には、前記下り回線パイロットタイムスロットにおいて１番目、２番目と３番目の符号で前記物理ハイブリッドARQインジケータチャンネル信号を送信する。
【００２４】
さらに、前記物理ハイブリッドARQインジケータチャンネル信号を伝送するために１個の符号を用いる場合には、前記下り回線パイロットタイムスロットにおいて１番目の符号で前記物理ハイブリッドARQインジケータチャンネル信号を送信し、前記下り回線パイロットタイムスロットにおいて３番目の符号で前記第１同期化チャンネル信号を送信し、スロット１とスロット１１において最後の符号で第２同期化チャンネル信号を送信し、
前記物理ハイブリッドARQインジケータチャンネル信号を伝送するために３個の符号を用いる場合には、前記下り回線パイロットタイムスロットにおいて１番目、２番目と３番目の符号で前記物理ハイブリッドARQインジケータチャンネル信号を送信し、スロット１とスロット１１において最後の符号で第１同期化チャンネル信号を送信し、スロット１とスロット１１において最後から２個目の符号で第２同期化チャンネル信号を送信する。
【発明の効果】
【００２５】
本発明の下り回線パイロットタイムスロットにおける物理ハイブリッドARQインジケータチャンネルの信号送信方法を採用することは、ＤｗＰＴＳで物理ハイブリッドARQインジケータチャンネル信号が同期化チャンネル信号と衝突する問題を解決するとともに、できるだけ物理ハイブリッドARQインジケータチャンネル信号送信の遅延を縮小させることも考えられ、そこでその他のチャンネルに対する影響が小さく、その他のチャンネルの処理は、容易になる。
【図面の簡単な説明】
【００２６】
【図１】ＬＴＥシステムのＴＤＤモードのフレーム構造を示す図である。
【図２】本発明がＤwＰＴＳで物理ハイブリッドARQインジケータチャンネル信号を送信する一つの実施例を示す図である。
【図３】本発明がＤwＰＴＳで物理ハイブリッドARQインジケータチャンネル信号を送信する他の実施例を示す図である。
【図４】本発明がＤwＰＴＳで物理ハイブリッドARQインジケータチャンネル信号を送信する他の実施例を示す図である。
【図５】本発明がＤwＰＴＳで物理ハイブリッドARQインジケータチャンネル信号を送信する他の実施例を示す図である。
【図６】本発明がＤwＰＴＳで物理ハイブリッドARQインジケータチャンネル信号を送信する他の実施例を示す図である。
【図７】本発明がＤwＰＴＳで物理ハイブリッドARQインジケータチャンネル信号を送信する他の実施例を示す図である。
【発明を実施するための形態】
【００２７】
本発明の下り回線パイロットタイムスロット（ＤwＰＴＳ）における物理ハイブリッドARQインジケータチャンネル信号送信方法は、主に以下の通り。基地局により、ＤwＰＴＳにおいて物理ハイブリッドARQインジケータチャンネル信号の送信に用いられるＯＦＤＭ符号と、第１同期信号と第２同期化信号の送信に用いられるＯＦＤＭ符号とに分けるとともに、できるだけ物理ハイブリッドARQインジケータチャンネル信号送信の遅延を減少させて、ＤwＰＴＳにおいて物理ハイブリッドARQインジケータチャンネル信号が第１同期化チャンネル信号と第２同期化チャンネル信号との衝突が発生するのを効果的に防ぐ。
【００２８】
第１の方法
シグナリングにより、下り回線パイロットタイムスロットで物理ハイブリッドARQインジケータチャンネル信号を伝送するために１個又は２個のＯＦＤＭ符号を指示する。
【００２９】
第１同期化チャンネル信号は、下り回線パイロットタイムスロットにおいて１番目のＯＦＤＭ符号で送信される。
【００３０】
物理ハイブリッドARQインジケータチャンネル信号を伝送するために１個のＯＦＤＭ符号が用いられる場合には、物理ハイブリッドARQインジケータチャンネル信号は、ＤwＰＴＳにおいて２番目のＯＦＤＭ符号で送信され、物理ハイブリッドARQインジケータチャンネル信号を伝送するために２個のＯＦＤＭ符号が用いられると、物理ハイブリッドARQインジケータチャンネル信号は、ＤwＰＴＳにおいて２番目又は３番目のＯＦＤＭ符号で送信される。
【００３１】
第２の方法
シグナリングにより、下り回線パイロットタイムスロットにおいて物理ハイブリッドARQインジケータチャンネル信号を伝送するために、１個又は３個のＯＦＤＭ符号を指示する。
【００３２】
第１同期化チャンネル信号は、下り回線パイロットタイムスロットにおける１番目のＯＦＤＭ符号で送信される。
【００３３】
物理ハイブリッドARQインジケータチャンネル信号を伝送するために１個のＯＦＤＭ符号が用いられる場合には、物理ハイブリッドARQインジケータチャンネル信号は、ＤwＰＴＳにおいて２番目のＯＦＤＭ符号で送信され、物理ハイブリッドARQインジケータチャンネル信号を伝送するために３個のＯＦＤＭ符号が用いられると、物理ハイブリッドARQインジケータチャンネル信号は、ＤwＰＴＳにおいて２番目、３番目と４番目のＯＦＤＭ符号で送信される。
【００３４】
第３の方法
同期化チャンネル信号の送信位置を変化させる。シグナリングにより、下り回線パイロットタイムスロットで物理ハイブリッドARQインジケータチャンネル信号を伝送するために１個又は２個のＯＦＤＭ符号を指示する。
【００３５】
物理ハイブリッドARQインジケータチャンネル信号を伝送するために１個のＯＦＤＭ符号が用いられる場合には、物理ハイブリッドARQインジケータチャンネル信号は、ＤwＰＴＳにおいて１番目のＯＦＤＭ符号で送信され、物理ハイブリッドARQインジケータチャンネルを伝送するために２個のＯＦＤＭ符号が用いられる場合には、物理ハイブリッドARQインジケータチャンネル信号は、ＤwＰＴＳにおいて１番目と２番目のＯＦＤＭ符号で送信される。
【００３６】
第１同期化チャンネル信号は、ＤwＰＴＳにおいて３番目のＯＦＤＭ符号で送信され、または、第１同期化チャンネル信号は、スロット１とスロット１１において最後のＯＦＤＭ符号で送信され、第２同期化チャンネル信号は、スロット１とスロット１１において最後から２個目のＯＦＤＭ符号で送信される。
【００３７】
第４の方法
同期化チャンネル信号の送信位置を変化させる。シグナリングにより、下り回線パイロットタイムスロットで物理理ハイブリッドARQインジケータチャンネル信号を伝送するために１個又は３個のＯＦＤＭ符号を指示する。
【００３８】
物理ハイブリッドARQインジケータチャンネル信号を伝送するために１個のＯＦＤＭ符号が用いられる場合には、物理ハイブリッドARQインジケータチャンネル信号は、ＤwＰＴＳにおいて１個目のＯＦＤＭ符号で送信され、物理ハイブリッドARQインジケータチャンネル信号を伝送するために３個のＯＦＤＭ符号が用いられる場合には、物理ハイブリッドARQインジケータチャンネル信号は、ＤwＰＴＳにおいて１番目、２番目と３番目のＯＦＤＭ符号で送信される。
【００３９】
第１同期化チャンネル信号は、スロット１とスロット１１において最後のＯＦＤＭ符号で送信され、第２同期化チャンネル信号は、スロット１とスロット１１において最後から２個目のＯＦＤＭ符号で送信される。
【００４０】
以下、実施例と図面を参照しながら本発明の技術的な解決方法について詳細に説明する。
【００４１】
図２に示すように、本発明がＤwＰＴＳにおいて物理ハイブリッドARQインジケータチャンネル信号を送信する一つの具体的な実施例である。ＬＴＥシステムには、１０ｍｓの無線フレームが半分ずつの２個のフレームに分けられ、各半分フレームが長さ０．５ｍｓの１０個のスロットに分けられ、２個のスロットが長さ１ｍｓのサブフレームを１個構成し、１個の無線フレームに１０個のサブフレーム（通し番号が０から９まで）が含まれ、１個の無線フレームに２０個のスロット（通し番号が０から１９まで）が含まれる。通常のサイクリック・プレフィックスには、１個のサブフレームに１４個のＯＦＤＭ符号が含まれる。ＤwＰＴＳに３個のＯＦＤＭ符号が含まれ、上り回線／下り回線の切り替え周期が５ｍｓであると仮定すると、第１同期化チャンネル信号がＤwＰＴＳにおいて１番目のＯＦＤＭ符号で送信され、物理ハイブリッドARQインジケータチャンネル信号を伝送するために１０個のＯＦＤＭ符号が用いられ、物理ハイブリッドARQインジケータチャンネル信号がＤwＰＴＳにおいて２番目のＯＦＤＭ符号で送信される。
【００４２】
図３に示すように、本発明がＤwＰＴＳで物理ハイブリッドARQインジケータチャンネル信号を送信する他の具体的な実施例である。ＬＴＥシステムには、１個の１０ｍｓの無線フレームが半分ずつの２個のフレームに分けられ、各半分フレームが１０個の長さ０．５ｍｓのスロットに分けれ、２個のスロットから長さ１ｍｓのサブフレームを一個構成し、一個の無線フレームに１０個のサブフレーム（通し番号が０から９まで）が含まれ、１個の無線フレームに２０個のスロット（通し番号が０から１９まで）が含まれる。通常のサイクリック・プレフィックスには、１個のサブフレームに１４個のＯＦＤＭ符号が含まれる。ＤwＰＴＳに３個のＯＦＤＭ符号が含まれ、上り回線／下り回線の切り替え周期が５ｍｓであると仮定すると、第１同期化チャンネル信号がＤwＰＴＳにおいて１番目のＯＦＤＭ符号で送信され、物理ハイブリッドARQインジケータチャンネル信号を伝送するために２個のＯＦＤＭ符号が用いられ、物理ハイブリッドARQインジケータチャンネル信号がＤwＰＴＳにおいて２番目と３番目のＯＦＤＭ符号で送信される。
【００４３】
図４に示すように、本発明がＤwＰＴＳで物理ハイブリッドARQインジケータチャンネル信号を送信する他の具体的な実施例である。ＬＴＥシステムには、１０ｍｓの無線フレームが半分ずつの２個のフレームに分けられ、各半分フレームが長さ０．５ｍｓの１０個のスロットに分けれ、２個のスロットが長さ１ｍｓのサブフレームを１個構成し、１個の無線フレームに１０個のサブフレーム（通し番号が０から９まで）が含まれ、１個の無線フレームに２０個のスロット（通し番号が０から１９まで）が含まれる。通常のサイクリック・プレフィックスには、１個のサブフレームに１４個のＯＦＤＭ符号が含まれる。ＤwＰＴＳに３個のＯＦＤＭ符号が含まれ、上り回線／下り回線の切り替え周期が５ｍｓであると仮定すると、第１同期化チャンネル信号がＤwＰＴＳにおいて３番目のＯＦＤＭ符号で送信され、物理ハイブリッドARQインジケータチャンネル信号を伝送するために１０個のＯＦＤＭ符号が用いられ、物理ハイブリッドARQインジケータチャンネル信号がＤwＰＴＳにおいて１番目のＯＦＤＭ符号で送信される。
【００４４】
図５に示すように、本発明がＤwＰＴＳでハイブリッドARQインジケータチャンネル信号を送信する他の具体的な実施例である。ＬＴＥシステムには、１０ｍｓの無線フレームが半分ずつの２個のフレームに分けられ、各半分フレームが長さ０．５ｍｓの１０個のスロットに分けられ、２個のスロットが長さ１ｍｓのサブフレームを一個構成し、一個の無線フレームに１０個のサブフレーム（通し番号が０から９まで）が含まれ、１個の無線フレームに２０個のスロット（通し番号が０から１９まで）が含まれる。通常のサイクリック・プレフィックスには、１個のサブフレームに１４個のＯＦＤＭ符号が含まれる。ＤwＰＴＳに３個のＯＦＤＭ符号が含まれ、上り回線／下り回線の切り替え周期が５ｍｓであると仮定すると、第１同期化チャンネル信号がＤwＰＴＳにおいて３番目のＯＦＤＭ符号で送信され、物理ハイブリッドARQインジケータチャンネル信号を伝送するために２個のＯＦＤＭ符号が用いられ、物理ハイブリッドARQインジケータチャンネル信号がＤwＰＴＳにおいて１番目と２番目のＯＦＤＭ符号で送信される。
【００４５】
図６に示すように、本発明がＤwＰＴＳで物理ハイブリッドARQインジケータチャンネル信号を送信する他の具体的な実施例である。ＬＴＥシステムには、１０ｍｓの無線フレームが半分ずつの２個のフレームに分けられ、各半分フレームが長さ０．５ｍｓの１０個のスロットに分けれ、２個のスロットから長さ１ｍｓのサブフレームを１個構成し、１個の無線フレームに１０個のサブフレーム（通し番号が０から９まで）が含まれ、１個の無線フレームに２０個のスロット（通し番号が０から１９まで）が含まれる。通常のサイクリック・プレフィックスには、１個のサブフレームに１４個のＯＦＤＭ符号が含まれる。ＤwＰＴＳに１０個のＯＦＤＭ符号が含まれ、上り回線／下り回線の切り替え周期が５ｍｓであると仮定すると、第１同期化チャンネル信号がＤwＰＴＳにおいて１番目のＯＦＤＭ符号で送信され、物理ハイブリッドARQインジケータチャンネル信号を伝送するために３個のＯＦＤＭ符号が用いられ、物理ハイブリッドARQインジケータチャンネル信号がＤwＰＴＳにおいて２番目、３番目と４番目のＯＦＤＭ符号で送信される。
【００４６】
図７に示すように、本発明がＤwＰＴＳで物理ハイブリッドARQインジケータチャンネル信号を送信する他の具体的な実施例である。ＬＴＥシステムには、１０ｍｓの無線フレームが半分ずつの２個のフレームに分けられ、各半分フレームが長さ０．５ｍｓの１０個のスロットに分けられ、２個のスロットが長さ１ｍｓのサブフレームを１個構成し、１個の無線フレームに１０個のサブフレーム（通し番号が０から９まで）が含まれ、１個の無線フレームに２０個のスロット（通し番号が０から１９まで）が含まれる。通常のサイクリック・プレフィックスには、１個のサブフレームに１４個のＯＦＤＭ符号が含まれる。ＤwＰＴＳに１０個のＯＦＤＭ符号が含まれ、上り回線／下り回線の切り替え周期が５ｍｓであると仮定すると、第１同期化チャンネル信号がスロット１とスロット１１における最後のＯＦＤＭ符号で送信され、第２同期化チャンネル信号がスロット１とスロット１１において最後から２個目のＯＦＤＭ符号で送信され、物理ハイブリッドARQインジケータチャンネル信号を伝送するために３個のＯＦＤＭ符号が用いられ、物理ハイブリッドARQインジケータチャンネル信号がＤwＰＴＳにおいて１番目、２番目と３番目のＯＦＤＭ符号で送信される。
【００４７】
本発明が挙げた上記の実施例は、いずれも第１同期化チャンネル信号と第２同期化チャンネル信号を送信するために用いるＯＦＤＭ符号と、物理ハイブリッドARQインジケータチャンネル信号を送信するために用いるＯＦＤＭ符号とが、ＤｗＰＴＳにおいて異なるものにするとともに、できるだけ物理ハイブリッドARQインジケータチャンネル信号送信の遅延を減少させるために、物理ハイブリッドARQインジケータチャンネル信号が、ＤｗＰＴＳにおいて先頭のＯＦＤＭ符号または先頭のいくつかのＯＦＤＭ符号で送信される。第１同期化チャンネル信号と第２同期化チャンネル信号の送信に用いられるＯＦＤＭ符号が、物理ハイブリッドARQインジケータチャンネル信号に用いられるＯＦＤＭ符号と異なるものであれば、本発明の特許請求の範囲に含まれると理解すべきである。
【００４８】
上述したものは本発明の実施例だけであるが、本発明に限られるものではない。実質及び要旨を逸脱しない範囲で、当業者が本発明に様々の改良及び変更したものは、本発明の特許請求の範囲に含まれると理解すべきである。
【産業上の利用可能性】
【００４９】
本発明が挙げた上記の実施例は、いずれも第１同期化チャンネル信号と第２同期化チャンネル信号の送信に用いるＯＦＤＭ符号と、物理ハイブリッドARQインジケータチャンネル信号の送信に用いるＯＦＤＭ符号とが、ＤｗＰＴＳにおいて異なるものにするとともに、できるだけ物理ハイブリッドARQインジケータチャンネル信号送信の遅延を減少して、ＤｗＰＴＳにおいて物理ハイブリッドARQインジケータチャンネル信号が第１、第２同期化チャンネル信号と衝突するのを効果的に避ける。
【図１】
2011509034.tif 000003
【図２】
2011509034.tif 000004
【図３】
2011509034.tif 000005
【図４】
2011509034.tif 000006
【図５】
2011509034.tif 000007
【図６】
2011509034.tif 000008
【図７】
2011509034.tif 000009
【国際調査報告】
2011509034.tif 000010
2011509034.tif 000011
2011509034.tif 000012
2011509034.tif 000013